(57)【特許請求の範囲】
【請求項１】
複数のアンテナ素子により、通信対象ユーザ端末に対して指向性ビームを向けて信号を受信する受信機において、
通信対象ユーザ端末に向けるメインビームと、該メインビームの両側に該メインビームと僅かに方向が異なる２つのサブビームを形成する手段と、
該２つのサブビームにおける受信電力の相対関係を指標として、次周期のビーム形成におけるメインビーム及び２つのサブビームの指向性を微小変化させる手段と、を備え、
前記２つのサブビームにおける受信電力の相対関係として、複数パスのメインビームのうち、受信電力が最大となるメインビームのパスに付随する２つのサブビームにおける受信電力の相対関係を指標とするとともに、該指標を基に、全パスに対して次周期のビーム形成におけるメインビーム及び２つのサブビームの指向性を微小変化させることを特徴とする指向性ビーム切替受信機。
【請求項２】
複数のアンテナ素子により、通信対象ユーザ端末に対して指向性ビームを向けて信号を受信する受信機において、
通信対象ユーザ端末に向けるメインビームと、該メインビームの両側に該メインビームと僅かに方向が異なる２つのサブビームを形成する手段と、
該２つのサブビームにおける受信電力の相対関係を指標として、次周期のビーム形成におけるメインビーム及び２つのサブビームの指向性を微小変化させる手段と、を備え、
前記２つのサブビームにおける受信電力の相対関係として、複数パスのメインビームのうち、信号対干渉電力が最大となるメインビームのパスに付随する２つのサブビームにおけるそれぞれの信号対干渉電力の相対関係を指標とするとともに、該指標を基に、全パスに対して次周期のビーム形成におけるメインビーム及び２つのサブビームの指向性を微小変化させることを特徴とする指向性ビーム切替受信機。
【請求項３】
複数のアンテナ素子により、通信対象ユーザ端末に対して指向性ビームを向けて信号を受信する受信機において、
通信対象ユーザ端末に向けるメインビームと、該メインビームの両側に該メインビームと僅かに方向が異なる２つのサブビームを形成する手段と、
該２つのサブビームにおける受信電力の相対関係を指標として、次周期のビーム形成におけるメインビーム及び２つのサブビームの指向性を微小変化させる手段と、を備え、
前記２つのサブビームにおける受信電力の相対関係として、複数パスのメインビームのうち、受信電力が最大となるメインビームのパスに付随する２つのサブビームにおける受信電力の相対関係を指標とするとともに、該指標を基に、全パスに対して、次周期のビーム形成におけるメインビーム及び２つのサブビームの指向性を、同一のウェイト値で形成することを特徴とする指向性ビーム切替受信機。
【請求項４】
複数のアンテナ素子により、通信対象ユーザ端末に対して指向性ビームを向けて信号を受信する受信機において、
通信対象ユーザ端末に向けるメインビームと、該メインビームの両側に該メインビームと僅かに方向が異なる２つのサブビームを形成する手段と、
該２つのサブビームにおける受信電力の相対関係を指標として、次周期のビーム形成におけるメインビーム及び２つのサブビームの指向性を微小変化させる手段と、を備え、
前記２つのサブビームにおける受信電力の相対関係として、複数パスのメインビームのうち、信号対干渉電力が最大となるメインビームのパスに付随する２つのサブビームにおける信号対干渉電力の相対関係を指標とするとともに、該指標を基に、全パスに対して、次周期のビーム形成におけるメインビーム及び２つのサブビームの指向性を、同一のウェイト値で形成することを特徴とする指向性ビーム切替受信機。
【発明の詳細な説明】
【０００１】
【発明の属する技術分野】
本発明は、ＷＣＤＭＡ（Wide band Code Division Multiple Access ）方式移動通信システム等で用いられる指向性ビーム切替受信機に関する。ＷＣＤＭＡ方式は、現在３ＧＰＰ（３ｒｄ Generation Partnership Project ）において標準化が進められている第三世代移動通信方式の一方式であり、複数のユーザ間において、それぞれ異なる符号により拡散された信号データを同一周波数帯域に多重して通信するものである。
【０００２】
しかし、各ユーザ間で使用される符号は完全に直交していないため、逆拡散後の信号データには他ユーザの送信信号からの干渉成分が含まれてしまう。図９に逆拡散後の信号に対する他ユーザの送信信号からの干渉成分の影響を示す。同図の（ａ）は、各ユーザからの受信信号＃１〜＃４、及びその中の通信対象ユーザの受信信号＃１の逆拡散後信号と他のユーザの受信信号＃２〜＃４からの干渉成分とを示す。
【０００３】
図９（ａ）において、受信信号＃１の逆拡散後信号のレベルは、他ユーザの受信信号＃２〜＃４の干渉成分を重ね合わせたレベルより十分上回り、他ユーザ受信信号＃２〜＃４の干渉成分の合計レベルは、通信対象ユーザ受信信号＃１の逆拡散後信号に対して、十分な通信品質を満たすことができる干渉量の上限以下であるので、受信信号＃１は良好に受信することができる。
【０００４】
一方、図９（ｂ）は他ユーザからの干渉量が増大した状態を示し、多数のユーザ受信信号＃１〜＃Ｎ（Ｎ＞＞４）、及びその中の通信対象ユーザ受信信号＃１の逆拡散後信号と他のユーザ受信信号＃２〜＃Ｎによる干渉成分とを示す。同図において、受信信号＃１の逆拡散後信号のレベルは、他のユーザ受信信号＃２〜＃Ｎの干渉成分を重ね合わせたレベルを上回るものの、他ユーザ受信信号＃２〜＃４の干渉成分の合計レベルは、通信対象ユーザ受信信号＃１に対して、十分な通信品質を満たすことができる干渉量の上限に達しているので、移動通信システムはこれ以上の通信を許容することができない。
【０００５】
図９に示すように、十分な通信品質を満たす逆拡散後信号が得られるユーザ数の上限、つまりシステム容量は、他ユーザ送信機からの干渉量によって決定される。干渉量を低減する手段の１つとして、指向性を有するアンテナを用い、通信対象ユーザに指向性ビームを向けて該ユーザ端末の送信信号を集中的に受信する指向性ビーム切替受信機が考えられている。本発明は、ＷＣＤＭＡ方式の移動通信システム等における符号多重信号を受信する指向性ビーム切替受信機に関する。
【０００６】
【従来の技術】
他ユーザからの干渉量を低減してシステム容量を増大化する技術として、干渉キャンセラ、アダプティブアレイアンテナ及びスイッチドビームアンテナ等を用いて、他ユーザからの干渉を抑圧する技術が検討されている。干渉キャンセラにより干渉量を抑圧する手段は、原理的には他ユーザからの干渉全てを削減する必要があるため、他ユーザ分の干渉成分推定回路が必要となり、回路規模が非常に大きなものとなってしまう。
【０００７】
そこで、大きな干渉量となる高速データユーザ信号による干渉のみをキャンセルすることにより、回路規模の削減を図ることなどが考えられているが、その場合でも、想定される高速データ送信ユーザ分の干渉成分推定回路が必要となる。また、アダプティブアレイアンテナやスイッチドビームアンテナを用いた場合と比較して、回路規模の増加に対するシステム容量の増加はあまり大きなものとはならない。
【０００８】
アダプティブアレイアンテナにより干渉量の抑圧を図るためには、適応的にアレイアンテナの指向性を通信対象ユーザ端末に向けるために、最小二乗平均法（ＬＭＳ）等の収束アルゴリズムを実現する回路が必要となる。一般的にこれら収束アルゴリズムを実現する回路は大きな規模のものとなってしまう。
【０００９】
また、アダプティブアレイアンテナに使用するアンテナ素子の本数を増やすことにより、ビーム幅を狭くして干渉量の低減を図ることができるが、設置コスト及び回路規模の制約により、設置し得るアンテナ素子本数は実際には４〜８本程度が限度である。
【００１０】
アンテナ素子本数が少ないとアレイアンテナの指向性ビーム幅が広がってしまう。しかしこの場合、通信対象ユーザに対して正確に指向性ビームが向いてなく、多少の方向ずれがあっても、干渉抑圧量は大きく劣化しないこととなる。このことから、アンテナ素子を多数設置することができないなどといった制約がある場合に、図１０に示すように、予め固定的にそれぞれ異なる方向に向かう複数の指向性ビーム＃１〜＃８を形成しておき、該複数のビーム＃１〜＃８の中から、通信品質が最良となるビームに受信ビームを切替え、該ビームの受信信号を復調して出力するスイッチドビームアンテナ受信機は、収束アルゴリズムを必要としないため回路規模を削減することができ、有効であると考えられている。
【００１１】
スイッチドビームアンテナを用いた従来の指向性ビーム切替受信機を図１１に示す。スイッチドビームアンテナによる信号受信は、図１０に示したような予め決められた複数の異なる方向のビーム＃１〜＃８を形成する。図１１の構成において、これらのビーム＃１〜＃８は、各アンテナ毎の逆拡散部１１−１１〜１１−１４により逆拡散した信号に対して、各アンテナ毎にビーム数分の異なるウェイト値Ｗ＿１＿１〜Ｗ＿１＿４，Ｗ＿２＿１〜Ｗ＿２＿４，・・・，Ｗ＿８＿１〜Ｗ＿８＿４を乗じて位相回転を行うことによって形成され、各ビーム＃１〜＃８の受信信号は、各ビーム毎に合成部１１−２１，１１−２２，…，１１−２８で合成され、各ビーム毎の同期検波部１１−３１，１１−３２，…，１１−３８で同期検波され、任意の方向から到来する信号が受信される。
【００１２】
そして、各ビーム毎の同期検波部１１−３１，１１−３２，…，１１−３８で同期検波した信号の品質を、各ビーム毎の受信品質測定部１１−４１，１１−４２，…，１１−４８で測定し、その各ビーム毎の測定値を受信品質比較部１１−５で比較し、受信品質比較部１１−５は最良の受信品質のビームを示す情報を受信信号選択部１１−６に通知する。
【００１３】
受信信号選択部１１−６は、受信品質比較部１１−５から通知されるビーム選択情報に従って、１つのビームの受信信号を選択してＲＡＫＥ合成部１１−７に出力し、ＲＡＫＥ合成部１１−７は、パス対応に備えられた同様の構成の指向性ビーム切替受信機からの出力信号をＲＡＫＥ合成し、合成信号を復号部１１−８に出力し、復号部１１−８は復号処理を行って復号データを出力する。
【００１４】
【発明が解決しようとする課題】
スイッチドビームアンテナを用いた指向性ビーム切替受信機は、通信対象のユーザ端末が移動することにより、受信信号の品質が最良となるビームが変化するために、予め準備した全てのビームからの受信信号を復調（同期検波）して受信し、各ビーム毎の受信品質を測定し、受信品質が最良となるビームの受信信号を選択する手段が必要となる。
【００１５】
このため、予め準備した各ビーム分の復調（同期検波）器を備える必要があった。本発明は、スイッチドビームアンテナを用いた指向性ビーム切替受信機において、予め形成した全てのビームの受信信号に対する復調（同期検波）器を備える必要がなく、その分、復調（同期検波）器を削減し、回路規模を縮小することができる指向性ビーム切替受信機を提供することを目的とする。
【００１６】
【課題を解決するための手段】
本発明の指向性ビーム切替受信機は、（１）複数のアンテナ素子により、通信対象ユーザ端末に対して指向性ビームを向けて信号を受信する受信機において、通信対象ユーザ端末に向けるメインビームと、該メインビームの両側に該メインビームと僅かに方向が異なる２つのサブビームを形成する手段と、該２つのサブビームにおける受信電力の相対関係を指標として、次周期のビーム形成におけるメインビーム及び２つのサブビームの指向性を切り替える手段とを備えたものである。
【００１７】
また、（２）前記２つのサブビームにおける受信電力の相対関係として、２つのサブビームにおけるそれぞれの信号電力対雑音電力比の相対関係を指標としたことを特徴とするものである。
【００１８】
また、（３）前記２つのサブビームにおける受信電力の相対関係として、複数パスのメインビームのうち、受信電力が最大となるメインビームのパスに付随する２つのサブビームにおける受信電力の相対関係を指標としたことを特徴とするものである。
【００１９】
また、（４）前記２つのサブビームにおける受信電力の相対関係として、複数パスのメインビームのうち、信号対干渉電力が最大となるメインビームのパスに付随する２つのサブビームにおける信号対干渉電力の相対関係を指標としたことを特徴とするものである。
【００２０】
また、（５）前記２つのサブビームにおける受信電力の相対関係として、複数パスのメインビームのうち、受信電力又は信号対干渉電力が最大となるメインビームのパスに付随する２つのサブビームにおける受信電力又は信号対干渉電力の相対関係を指標とするとともに、該指標を基に全パスに対して共通に次周期のビーム形成におけるメインビーム及び２つのサブビームの指向性を切り替えることを特徴とするものである。
【００２１】
【発明の実施の形態】
図１に本発明による指向性ビーム切替受信機の基本構成例を示す。同図に示すように、各アンテナ毎の逆拡散部１−１１〜１−１４により逆拡散した信号に対して、通信対象ユーザ端末に向けるメインビームと、該メインビームの両側に該メインビームと僅かに方向が異なる２つのサブビームを形成するために、各アンテナ毎に各ビーム対応にそれぞれ異なるウェイト値ＷＭ＿１〜ＷＭ＿４，ＷＳ１＿１，ＷＳ１＿２，ＷＳ２＿１，ＷＳ２＿２を乗じて位相回転を行うことにより、各ビームを形成する。
【００２２】
図２に上記ウェイト値の乗算により形成するメインビームとその両側の２つのサブビームのパターン例を示す。メインビームに対して２つのサブビーム＃１，＃２は、一例として３［ｄＢ］電力が減衰し、メインビームの左右それぞれに僅かに異なる角度Δθの方向にビームを形成したビームパターン例を示している。
【００２３】
図１において、ウェイト値ＷＭ＿１〜ＷＭ＿４を乗じて形成したメインビームの受信信号は、合成部１−２１で合成され、同期検波部１−３１で同期検波される。ウェイト値ＷＳ１＿１，ＷＳ１＿２を乗じて形成した第１のサブビームの受信信号は合成部１−２２で合成され、同期検波部１−３２で同期検波される。ウェイト値ＷＳ２＿１，ＷＳ２＿２を乗じて形成した第２のサブビームの受信信号は合成部１−２３で合成され、同期検波部１−３３で同期検波される。
【００２４】
第１及び第２のサブビームの各受信信号は、それぞれ受信品質測定部１−４１，１−４２に入力され、各受信品質測定部１−４１，１−４２で受信電力を基に受信品質を測定し、測定結果をウェイト制御部１−５に出力する。ウェイト制御部１−５は、各受信品質測定部１−４１，１−４２から入力される２つのサブビームにおける受信電力の相対関係を指標として、次周期のビーム形成におけるメインビーム及び２つのサブビームの指向性を切り替えるためのウェイト値ＷＭ＿１〜ＷＭ＿４，ＷＳ１＿１，ＷＳ１＿２，ＷＳ２＿１，ＷＳ２＿２を出力する。
【００２５】
各受信品質測定部１−４１，１−４２から入力される各サブビームの受信電力の相対関係は、通信対象ユーザ端末の方向により近い方向のサブビームから、品質のより良い受信信号が得られるので、それをもとに通信対象ユーザ端末の移動方向を判定し、該移動方向にビームを切替えるため、常に通信対象ユーザ端末に対して指向性ビームを向けることができる。
【００２６】
そして、メインビームの受信信号を同期検波部１−３１で同期検波した復調信号はＲＡＫＥ合成部１−６に出力され、ＲＡＫＥ合成部１−６はパス対応に備えられた同様の構成の指向性ビーム切替受信機の復調信号をＲＡＫＥ合成し、合成信号を復号部１−７に出力し、復号部１−７は復号処理を行って復号データを出力する。
【００２７】
なお、メインビーム及び２つのサブビームのビーム形成のための各ウェイト値ＷＭ＿１〜ＷＭ＿４，ＷＳ１＿１，ＷＳ１＿２，ＷＳ２＿１，ＷＳ２＿２は、各パス対応の各指向性ビーム切替受信機毎に異なる値を設定し、各パス毎にその到来方向にビームを形成する構成とすることができる。
【００２８】
図３に本発明による指向性ビーム切替受信機の第１の実施例を示す。この実施例は、図１に示した指向性ビーム切替受信機の構成における１パス分の処理を行う構成のみを示している。メインビームを形成するために４つのアンテナ素子に対する位相回転を行うウェイト値ＷＭ＿１〜ＷＭ＿４の乗算部とアンテナ間合成部１−２１とに加え、４つのアンテナ素子の中から１つ置きに取出した２つずつのアンテナ素子によりサブビームを形成するために位相回転を行うウェイト値ＷＳ１＿１，ＷＳ１＿２及びＷＳ２＿１，ＷＳ２＿２の乗算部とアンテナ間合成部１−２２及び１−２３とが付加される。
【００２９】
この構成により、メインビーム形成におけるアンテナ素子間距離と比較して、サブビーム形成におけるアンテナ素子間距離は２倍となる。このため、サブビーム形成のアンテナ本数を１／２にしても、図２に示すようなメインビームとサブビームとが同じビーム幅のビームパタンを形成することが可能となる。
【００３０】
この第１の実施例では、サブビーム間の通信品質を比較する指標として、各サブビームにおける受信電力を使用する。各サブビームの同期検波部１−３２，１−３３から出力される受信信号に対して、受信電力測定部３−１，３−２によりそれぞれの電力を測定し、ウェイト制御部３−３では、第１のサブビーム＃１の受信電力から第２のサブビーム＃２の受信電力を減じた電力差分を求める。
【００３１】
その電力差分は第１の比較部３−３１及び第２の比較部３−３２に入力され、第１の比較部３−３１は該電力差分が第１の閾値＃１を上回る場合には、アップダウンカウンタ３−３３に対してカウントアップ指示信号を出力する。一方、第２の比較部３−３２は該電力差分が第２の閾値＃２を下回る場合には、アップダウンカウンタ３−３３に対してカウントダウン指示信号を出力する。
【００３２】
アップダウンカウンタ３−３３のカウント値は、ウェイトメモリ３−３４に入力され、ウェイトメモリ３−３４は該カウント値に応じて次周期のウェイト値ＷＭ＿１〜ＷＭ＿４，ＷＳ１＿１，ＷＳ１＿２，ＷＳ２＿１，ＷＳ２＿２を出力する。即ち、第１のサブビーム＃１が第２のサブビーム＃２より受信電力が大きい場合、各ビームを第１のサブビーム＃１側に微小角回転させたウェイト値を出力し、第２のサブビーム＃２が第１のサブビーム＃１より受信電力が大きい場合、各ビームを第２のサブビーム＃２側に微小角回転させたウェイト値を出力する。
【００３３】
通信対象ユーザ端末がメインビームの方向から移動した場合に、２つのサブビームの受信電力状態の監視結果を基に、その電力の強弱差に応じて通信対象ユーザ端末の移動方向を判定し、該移動方向にビームを切替えるため、常にメインビームを通信対象ユーザ端末方向に向けることができる。
【００３４】
図４に本発明による指向性ビーム切替受信機の第２の実施例をを示す。この実施例は、２つのサブビーム間の通信品質を対比する指標として、各サブビームにおける受信信号の信号対干渉電力比（ＳＩＲ）を使用するようにしたものである。即ち、図３の第１の実施例における受信電力測定部３−１，３−２を、信号対干渉電力比（ＳＩＲ）部４−１，４−２に代えたものである。
【００３５】
受信信号の信号対干渉電力比（ＳＩＲ）を指標としたことにより、受信信号に大きな干渉成分が含まれて受信信号電力が増大した場合におけるウェイト制御部の誤制御を防ぐことができ、より正確にメインビームを通信対象ユーザ端末方向に向けることが可能となる。
【００３６】
図５に本発明による指向性ビーム切替受信機の第３の実施例を示す。この実施例は、各パス毎にメインビームの受信電力を測定する受信電力測定部５−１を設け、最大値検出部５−２により全パスの中からメインビームの受信電力が最大となっているパスを検出し、受信電力最大のパスのメインビームに付随する２つのサブビームをセレクタ５−３により選択し、該２つのサブビームの受信電力のみを受信電力測定部５−４，５−５で測定し、該測定結果を各パス対応のウェイト制御部３−３に入力するようにしたものである。
【００３７】
つまり、メインビームの受信電力レベルが最も高いパスについてのみ、そのサブビームの受信電力測定を行い、該受信電力測定結果により全パスのウェイト制御を行う構成としたものである。これは、通信対象ユーザ端末の移動により、全てのパスの到来方向が同様に移動する場合に有効であり、この構成により、図３に示した第１の実施例において各パス対応にそれぞれ備えた２つのサブビームの受信電力測定部３−１，３−２を、各パスに共通の１組の受信電力測定部５−４，５−５のみを備えた構成とすることができ、回路規模の削減を図ることが可能となる。
【００３８】
図６に本発明による指向性ビーム切替受信機の第４の実施例を示す。この実施例は、各パス毎にメインビームの信号対干渉電力比（ＳＩＲ）を測定する信号対干渉電力比（ＳＩＲ）測定部６−１を設け、最大値検出部５−２により全パスの中からメインビームの信号対干渉電力比（ＳＩＲ）が最大となっているパスを検出し、信号対干渉電力比（ＳＩＲ）のパスのメインビームに付随する２つのサブビームをセレクタ５−３により選択し、該２つのサブビームの信号対干渉電力比（ＳＩＲ）のみを信号対干渉電力比（ＳＩＲ）測定部６−２，６−３で測定し、該測定結果を各パス対応のウェイト制御部３−３に入力するようにしたものである。
【００３９】
この構成により、メインビームの信号対干渉電力比（ＳＩＲ）が最も高いパスについてのみ、そのサブビームの信号対干渉電力比（ＳＩＲ）測定を行い、該測定結果により全パスのウェイト制御を行う。この構成は第３の実施例と同様に、通信対象ユーザ端末の移動により、全てのパスの到来方向が同様に移動する場合に有効である。
【００４０】
また、この実施例は、図４に示した第２の実施例において各パス対応にそれぞれ備えた２つのサブビームの信号対干渉電力比（ＳＩＲ）測定部４−１，４−２を、各パスに共通の１組の信号対干渉電力比（ＳＩＲ）測定部６−２，６−３のみを備えたので、回路規模の削減を図ることが可能になるとともに、受信信号に大きな干渉成分が含まれることにより、受信信号電力が増大した場合におけるウェイト制御部の誤制御を防ぐことができ、より正確にメインビームを通信対象ユーザ端末に対して向けることが可能となる。
【００４１】
図７に本発明による指向性ビーム切替受信機の第５の実施例を示す。この実施例は、図５の第３の実施例においてパス毎に行ったウェイト制御を、全パスの中からメインビームの受信電力が最大となっているパスのメインビームに付随する２つのサブビームのみの受信電力を使用して、全パス共通にウェイト制御部７−１でウェイト制御を行う構成としたものである。
【００４２】
ウェイト制御部７−１から出力されるウェイト値ＷＭ＿１〜ＷＭ＿４，ＷＳ１＿１，ＷＳ１＿２，ＷＳ２＿１，ＷＳ２＿２は、各パス対応の指向性ビーム切替受信機に共通に同一値として与えられる。この第５の実施例は、各パスの到来角分散がメインビーム幅に対して十分小さいときに有効であり、この構成により、図５の第３の実施例に対して更に回路規模を削減することが可能となる。
【００４３】
図８に本発明による指向性ビーム切替受信機の第６の実施例を示す。この実施例は、図６の第５の実施例においてパス毎に行ったウェイト制御を、全パスの中からメインビームの信号対干渉電力比（ＳＩＲ）が最大となっているパスのメインビームに付随する２つのサブビームのみの信号対干渉電力比（ＳＩＲ）を使用して、全パス共通にウェイト制御部７−１でウェイト制御を行う構成としたものである。
【００４４】
この第６の実施例は、第５の実施例と同様に、ウェイト制御部７−１から出力されるウェイト値ＷＭ＿１〜ＷＭ＿４，ＷＳ１＿１，ＷＳ１＿２，ＷＳ２＿１，ＷＳ２＿２は、各パス対応の指向性ビーム切替受信機に共通に同一値として与えられ、各パスの到来角分散がメインビーム幅に対して十分小さいときに有効であり、図６の第４の実施例に対して更に回路規模を削減することが可能となる。
【００４５】
（付記１）  複数のアンテナ素子により、通信対象ユーザ端末に対して指向性ビームを向けて信号を受信する受信機において、通信対象ユーザ端末に向けるメインビームと、該メインビームの両側に該メインビームと僅かに方向が異なる２つのサブビームを形成する手段と、該２つのサブビームにおける受信電力の相対関係を指標として、次周期のビーム形成におけるメインビーム及び２つのサブビームの指向性を切り替える手段とを備えたことを特徴とする指向性ビーム切替受信機。
（付記２）  前記２つのサブビームにおける受信電力の相対関係として、２つのサブビームにおけるそれぞれの信号電力対雑音電力比の相対関係を指標としたことを特徴とする付記１記載の指向性ビーム切替受信機。
（付記３）  前記２つのサブビームにおける受信電力の相対関係として、複数パスのメインビームのうち、受信電力が最大となるメインビームのパスに付随する２つのサブビームにおける受信電力の相対関係を指標としたことを特徴とする付記１記載の指向性ビーム切替受信機。
（付記４）  前記２つのサブビームにおける受信電力の相対関係として、複数パスのメインビームのうち、信号対干渉電力が最大となるメインビームのパスに付随する２つのサブビームにおける信号対干渉電力の相対関係を指標としたことを特徴とする付記１記載の指向性ビーム切替受信機。
（付記５）  前記２つのサブビームにおける受信電力の相対関係として、複数パスのメインビームのうち、受信電力又は信号対干渉電力が最大となるメインビームのパスに付随する２つのサブビームにおける受信電力又は信号対干渉電力の相対関係を指標とするとともに、該指標を基に全パスに対して共通に次周期のビーム形成におけるメインビーム及び２つのサブビームの指向性を切り替えることを特徴とする付記１に記載の指向性ビーム切替受信機。
（付記６）  前記２つのサブビームにおける受信電力の相対関係として、複数パスのメインビームのうち、受信電力が最大となるメインビームのパスに付随する２つのサブビームにおける受信電力の相対関係を指標とするとともに、該指標を基に全パスに対して共通に次周期のビーム形成におけるメインビーム及び２つのサブビームの指向性を切り替えることを特徴とする付記１に記載の指向性ビーム切替受信機。
（付記７）  前記２つのサブビームにおける受信電力の相対関係として、複数パスのメインビームのうち、信号対干渉電力が最大となるメインビームのパスに付随する２つのサブビームにおける信号対干渉電力の相対関係を指標とするとともに、該指標を基に全パスに対して共通に次周期のビーム形成におけるメインビーム及び２つのサブビームの指向性を切り替えることを特徴とする付記１に記載の指向性ビーム切替受信機。
【００４６】
【発明の効果】
以上説明したように、本発明によれば、通信対象ユーザ端末に向けるメインビームと、該メインビームの両側に該メインビームと僅かに方向が異なる２つのサブビームを形成し、該２つのサブビームにおける受信電力の相対関係を指標として、次周期のビーム形成におけるメインビーム及び２つのサブビームの指向性を切り替えることにより、従来のスイッチドビームアンテナ受信機において予め定められた複数の異なる方向に形成した全てのビームの受信信号を復調処理する復調処理部を不要とし、メインビーム及び２つのサブビームの受信信号を復調処理する復調処理部のみを備えればよく、回路規模の削減を図ることが可能となる。
【図面の簡単な説明】
【図１】本発明による指向性ビーム切替受信機の基本構成例を示す図である。
【図２】本発明によるメインビームと２つのサブビームのパターン例を示す図である。
【図３】本発明による指向性ビーム切替受信機の第１の実施例を示す図である。
【図４】本発明による指向性ビーム切替受信機の第２の実施例を示す図である。
【図５】本発明による指向性ビーム切替受信機の第３の実施例を示す図である。
【図６】本発明による指向性ビーム切替受信機の第４の実施例を示す図である。
【図７】本発明による指向性ビーム切替受信機の第５の実施例を示す図である。
【図８】本発明による指向性ビーム切替受信機の第６の実施例を示す図である。
【図９】逆拡散後の信号に対する他ユーザの送信信号からの干渉成分の影響を示す図である。
【図１０】従来のスイッチドビームアンテナ受信機で形成されるビームパターンの例を示す図である。
【図１１】スイッチドビームアンテナを用いた従来の指向性ビーム切替受信機を示す図である。
【符号の説明】
１−１１〜１−１４  逆拡散部
１−２１  メインビームの合成部
１−２２  第１のサブビームの合成部
１−２３  第２のサブビームの合成部
１−３１  メインビームの同期検波部
１−３２  第１のサブビームの同期検波部
１−３３  第２のサブビームの同期検波部
１−４１  第１のサブビームの受信品質測定部
１−４２  第２のサブビームの受信品質測定部
１−５  ウェイト制御部
１−６  ＲＡＫＥ合成部
１−７  復号部
ＷＭ＿１〜ＷＭ＿４  メインビーム形成のウェイト値
ＷＳ１＿１，ＷＳ１＿２  第１のサブビーム形成のウェイト値
ＷＳ２＿１，ＷＳ２＿２  第２のサブビーム形成のウェイト値
【図１】
0003952377.tif 000002
【図２】
0003952377.tif 000003
【図３】
0003952377.tif 000004
【図４】
0003952377.tif 000005
【図５】
0003952377.tif 000006
【図６】
0003952377.tif 000007
【図７】
0003952377.tif 000008
【図８】
0003952377.tif 000009
【図９】
0003952377.tif 000010
【図１０】
0003952377.tif 000011
【図１１】
0003952377.tif 000012